(57)【特許請求の範囲】
【請求項１】
金融機関の店舗内に設置され、貨幣を収納する第１の貨幣管理装置と、
前記金融機関の店舗内において前記第１の貨幣管理装置と通信可能に接続され、貨幣を収納する一つ若しくは複数の第２の貨幣管理装置と、
前記金融機関の店舗内において前記第１の貨幣管理装置と連携して貨幣の出し入れを行うように通信可能に接続された出納機とを備え、
前記第２の貨幣管理装置は該第２の貨幣管理装置に収納されている貨幣の在高を前記第１の貨幣管理装置に送信する送信部を備え、
前記第１の貨幣管理装置は、該第１の貨幣管理装置に収納されている貨幣の在高と前記第２の貨幣管理装置に収納されている貨幣の在高を前記出納機に送信する送信部を備え、
前記出納機は、前記第１および前記第２の貨幣管理装置に収納されている貨幣の総在高を記憶する記憶部を備え、
前記出納機は、予め前記第１の貨幣管理装置および前記第２の貨幣管理装置において出し入れする貨幣の金種または券種、および数量を入力する入力部を備えることを特徴とする貨幣管理システム。
【請求項２】
前記出納機の前記記憶部は、前記総在高とともに前記第１および前記第２の貨幣管理装置のそれぞれの個別の在高をさらに記憶し、
前記出納機は、前記総在高とともに前記第１および前記第２の貨幣管理装置のそれぞれの個別の在高を表示する表示部をさらに備えていることを特徴とする請求項１に記載の貨幣管理システム。
【請求項３】
前記第１の貨幣管理装置は、
前記第１および前記第２の貨幣管理装置において出し入れする処理対象貨幣のうち一部の貨幣が前記第１または前記第２の貨幣管理装置の一方において出し入れされた場合に、該一部の貨幣の金額または数量を前記処理対象貨幣の金額または数量から減算して得られる残りの貨幣の金額または数量を算出する演算部と、
前記残りの貨幣の金額または数量を表示する表示部とをさらに備えたことを特徴とする請求項１または請求項２に記載の貨幣管理システム。
【請求項４】
前記表示部は、前記残りの貨幣を前記第１または前記第２の貨幣管理装置の他方において出し入れするよう表示することを特徴とする請求項３に記載の貨幣管理システム。
【請求項５】
前記記憶部に記憶された前記第１および前記第２の貨幣管理装置のいずれか一方の在高が、前記出し入れされる貨幣の金額または数量未満である場合、前記演算部は、前記出し入れされる貨幣の金額または数量から前記一方の貨幣管理装置の在高を減算して得られる不足貨幣の金額または数量を算出し、
前記表示部は、前記第１および前記第２の貨幣管理装置のうち他方の貨幣管理装置において、前記不足貨幣の金額または数量以上の貨幣を出し入れするよう表示することを特徴とする請求項３または請求項４のいずれかに記載の貨幣管理システム。
【請求項６】
金融機関の店舗内に設置され、貨幣を収納する第１の貨幣管理装置と、
前記第１の貨幣管理装置と通信可能に接続され、貨幣を収納する一つ若しくは複数の第２の貨幣管理装置とを備え、
前記第２の貨幣管理装置は、該第２の貨幣管理装置に収納されている貨幣の在高を前記第１の貨幣管理装置に送信する送信部を備え、
前記第１の貨幣管理装置は、該第１の貨幣管理装置に収納されている貨幣の在高と前記第２の貨幣管理装置に収納されている貨幣の在高とを足した総在高を記憶する記憶部を備え、
前記第１の貨幣管理装置は、予め該第１の貨幣管理装置および前記第２の貨幣管理装置において出し入れする貨幣の金種または券種、および数量を入力する入力部を備えることを特徴とする貨幣管理システム。
【請求項７】
前記第１の貨幣管理装置の前記記憶部は、前記総在高とともに前記第１および前記第２の貨幣管理装置のそれぞれの個別の在高を記憶し、
前記第１の貨幣管理装置は、前記総在高とともに前記第１および前記第２の貨幣管理装置のそれぞれの個別の在高を表示する表示部を備えていることを特徴とする請求項６に記載の貨幣管理システム。
【請求項８】
前記第１の貨幣管理装置は、
前記第１および前記第２の貨幣管理装置において出し入れする貨幣の金額または数量を入力する入力部と、
前記出し入れする貨幣のうち一部の貨幣が前記第１または前記第２の貨幣管理装置の一方において出し入れされた場合に、該一部の貨幣の金額または数量を前記出し入れする貨幣の金額または数量から減算して得られる残りの貨幣の金額または数量を算出する演算部と、
前記残りの貨幣の金額または数量を表示する表示部とをさらに備えたことを特徴とする請求項６または請求項７に記載の貨幣管理システム。
【請求項９】
前記表示部は、前記残りの貨幣を前記第１または前記第２の貨幣管理装置の他方において出し入れするよう表示することを特徴とする請求項８に記載の貨幣管理システム。
【請求項１０】
前記記憶部に記憶された前記第１および前記第２の貨幣管理装置のいずれか一方の在高が、前記出し入れされる貨幣の金額または数量未満である場合、前記演算部は、前記出し入れされる貨幣の金額または数量から前記一方の貨幣管理装置の在高を減算して得られる不足貨幣の金額または数量を算出し、
前記表示部は、前記第１および前記第２の貨幣管理装置の他方の貨幣管理装置において、前記不足貨幣の金額または数量以上の貨幣を出し入れするよう表示することを特徴とする請求項８に記載の貨幣管理システム。
【発明の詳細な説明】
【技術分野】
【０００１】
本発明は、貨幣管理システムに関する。
【背景技術】
【０００２】
銀行等の金融機関の店舗には、その店舗内の貨幣の入金および出金を管理する出納機が設けられている。また、金融機関内には出納機と連携する貨幣管理装置が設けられている場合がある。
【０００３】
出納機において貨幣を出し入れする際に出納機に充分な貨幣が収納されていない場合や出納機に貨幣を収納することができない場合に、貨幣管理装置から出納機に貨幣を補充し、あるいは、出納機から貨幣管理装置へ貨幣を回収する。
【０００４】
このような貨幣管理システムにおいて、出納機および貨幣管理装置は、相互に通信可能に接続されており、貨幣管理装置内の貨幣在高を出納機において管理することができるように構成されている。出納機内の貨幣在高と貨幣管理装置内の貨幣在高との管理を連動させることにより、貨幣管理システムは、金融機関内の在高管理をより安全に且つ総合的に行うことができる。
【先行技術文献】
【特許文献】
【０００５】
【特許文献１】特開２０１０−１２２８８９号公報
【発明の開示】
【発明が解決しようとする課題】
【０００６】
しかし、従来の貨幣管理システムでは、出納機に１台の貨幣管理装置のみが接続可能であった。金融機関の店舗によっては大量の貨幣を貨幣管理装置に収納する必要があるため、１台の貨幣管理装置では、貨幣の収納容量が足りない場合がある。即ち、従来の貨幣管理システムでは、一度に取扱い可能な貨幣量には制限があった。
【０００７】
本願発明は、上述の問題に鑑みてなされたものであり、大量の貨幣を取り扱うことができ、かつ、貨幣管理装置内の貨幣在高を含めた金融機関内の在高管理を安全且つ総合的に行うことができる貨幣管理システムを提供することを目的とする。
【課題を解決するための手段】
【０００８】
本発明による実施形態に従った貨幣管理システムは、金融機関の店舗内に設置され、貨幣を収納する第１の貨幣管理装置と、前記金融機関の店舗内において前記第１の貨幣管理装置と通信可能に接続され、貨幣を収納する一つ若しくは複数の第２の貨幣管理装置と、前記金融機関の店舗内において前記第１の貨幣管理装置と連携して貨幣の出し入れを行うように通信可能に接続された出納機とを備え、
前記第２の貨幣管理装置は該第２の貨幣管理装置に収納されている貨幣の在高を前記第１の貨幣管理装置に送信する送信部を備え、前記第１の貨幣管理装置は、該第１の貨幣管理装置に収納されている貨幣の在高と前記第２の貨幣管理装置に収納されている貨幣の在高を前記出納機に送信する送信部を備え、前記出納機は、前記第１および前記第２の貨幣管理装置に収納されている貨幣の総在高を記憶する記憶部を備え、前記出納機は、予め前記第１の貨幣管理装置および前記第２の貨幣管理装置において出し入れする貨幣の金種または券種、および数量を入力する入力部を備えることを特徴とする。
【０００９】
前記出納機の前記記憶部は、前記総在高とともに前記第１および前記第２の貨幣管理装置のそれぞれの個別の在高をさらに記憶し、前記出納機は、前記総在高とともに前記第１および前記第２の貨幣管理装置のそれぞれの個別の在高を表示する表示部をさらに備えていてもよい。
【００１０】
前記第１の貨幣管理装置は、前記第１および前記第２の貨幣管理装置において出し入れする処理対象貨幣のうち一部の貨幣が前記第１または前記第２の貨幣管理装置の一方において出し入れされた場合に、該一部の貨幣の金額または数量を前記処理対象貨幣の金額または数量から減算して得られる残りの貨幣の金額または数量を算出する演算部と、前記残りの貨幣の金額または数量を表示する表示部とをさらに備えていてもよい。
【００１１】
前記表示部は、前記残りの貨幣を前記第１または前記第２の貨幣管理装置の他方において出し入れするよう表示するように構成されていてもよい。
【００１２】
前記記憶部に記憶された前記第１および前記第２の貨幣管理装置のいずれか一方の在高が、前記出し入れされる貨幣の金額または数量未満である場合、前記演算部は、前記出し入れされる貨幣の金額または数量から前記一方の貨幣管理装置の在高を減算して得られる不足貨幣の金額または数量を算出し、前記表示部は、前記第１および前記第２の貨幣管理装置のうち他方の貨幣管理装置において、前記不足貨幣の金額または数量以上の貨幣を出し入れするよう表示するように構成されていてもよい。
【００１３】
本発明による他の実施形態に従った貨幣管理システムは、金融機関の店舗内に設置され、貨幣を収納する第１の貨幣管理装置と、前記第１の貨幣管理装置と通信可能に接続され、貨幣を収納する一つ若しくは複数の第２の貨幣管理装置とを備え、前記第２の貨幣管理装置は、該第２の貨幣管理装置に収納されている貨幣の在高を前記第１の貨幣管理装置に送信する送信部を備え、前記第１の貨幣管理装置は、該第１の貨幣管理装置に収納されている貨幣の在高と前記第２の貨幣管理装置に収納されている貨幣の在高とを足した総在高を記憶する記憶部を備え、前記第１の貨幣管理装置は、予め該第１の貨幣管理装置および前記第２の貨幣管理装置において出し入れする貨幣の金種または券種、および数量を入力する入力部を備える。
【００１４】
前記第１の貨幣管理装置の前記記憶部は、前記総在高とともに前記第１および前記第２の貨幣管理装置のそれぞれの個別の在高を記憶し、前記第１の貨幣管理装置は、前記総在高とともに前記第１および前記第２の貨幣管理装置のそれぞれの個別の在高を表示する表示部を備えていてもよい。
【００１５】
前記第１の貨幣管理装置は、前記第１および前記第２の貨幣管理装置において出し入れする貨幣の金額または数量を入力する入力部と、前記出し入れする貨幣のうち一部の貨幣が前記第１または前記第２の貨幣管理装置の一方において出し入れされた場合に、該一部の貨幣の金額または数量を前記出し入れする貨幣の金額または数量から減算して得られる残りの貨幣の金額または数量を算出する演算部と、前記残りの貨幣の金額または数量を表示する表示部とをさらに備えていてもよい。
【００１６】
前記表示部は、前記残りの貨幣を前記第１または前記第２の貨幣管理装置の他方において出し入れするよう表示するように構成されていてもよい。
【００１７】
前記記憶部に記憶された前記第１および前記第２の貨幣管理装置のいずれか一方の在高が、前記出し入れされる貨幣の金額または数量未満である場合、前記演算部は、前記出し入れされる貨幣の金額または数量から前記一方の貨幣管理装置の在高を減算して得られる不足貨幣の金額または数量を算出し、前記表示部は、前記第１および前記第２の貨幣管理装置の他方の貨幣管理装置において、前記不足貨幣の金額または数量以上の貨幣を出し入れするよう表示するように構成されていてもよい。
【発明の効果】
【００１８】
本発明による貨幣管理システムは、大量の貨幣を取り扱うことができ、かつ、貨幣管理装置内の貨幣在高を含めた金融機関内の在高管理を安全且つ総合的に行うことができる。
【図面の簡単な説明】
【００１９】
【図１】本発明の第１の実施形態を示すシステム概略図である。
【図２】出納機の外観を示す斜視図である。
【図３】出納機の構成を示すブロック図である。
【図４】第１の貨幣管理装置２００Ａの外観を示す斜視図である。
【図５】第１の貨幣管理装置２００Ａの第２紙幣収納ドロアの斜視図である。
【図６】第１の貨幣管理装置２００Ａの第２硬貨収納ドロアの斜視図である。
【図７】第１の貨幣管理装置２００Ａの予備収納庫の斜視図である。
【図８】第１の貨幣管理装置２００Ａの制御部２２５の構成を示すブロック図である。
【図９】出納機１００の側での入出金操作準備プロセスの一例のフローチャート。
【図１０】貨幣管理装置２００Ａ、２００Ｂにおける入出金操作プロセスのフロー図。
【図１１】本実施形態による貨幣管理システム及び貨幣管理方法による貨幣在高管理の全体像を模式的に表した説明図。
【図１２】図１０に示すステップ３０の収納／取出処理における貨幣管理装置２００Ａ、２００Ｂの詳細な動作を示すフロー図。
【図１３】第３の貨幣管理装置が子機として第１の貨幣管理装置２００Ａに接続されている場合における収納／取出処理のフロー図。
【図１４】第２の実施形態を示すシステム概略図。
【図１５】第１または第２の実施形態の変形例２による出納機１００の表示部１５ａまたは第１の貨幣管理装置２００Ａの表示部２２７に表示される処理対象貨幣の入力表。
【図１６】第１または第２の実施形態の変形例２による出納機１００の表示部１５ａまたは第１の貨幣管理装置２００Ａの表示部２２７に表示される処理対象貨幣の入力表。
【図１７】第１または第２の実施形態の変形例３による出納機１００の表示部１５ａまたは第１の貨幣管理装置２００Ａの表示部２２７に表示される画面。
【図１８】第１または第２の実施形態の変形例３による出納機１００の表示部１５ａまたは第１の貨幣管理装置２００Ａの表示部２２７に表示される画面。
【図１９】第３の実施形態に従った貨幣管理システムの動作を示すフロー図。
【発明を実施するための最良の形態】
【００２０】
以下、図面を参照して本発明による実施形態を説明する。本実施形態は、本発明を限定するものではない。
【００２１】
（第１の実施形態）
図１は、本発明の第１の実施形態を示すシステム概略図である。貨幣管理システム３００は、銀行等の金融機関の店舗内に設置されており、出納機１００、第１の貨幣管理装置２００Ａ、および、第２の貨幣管理装置２００Ｂを備えている。出納機１００が、貨幣管理本体機として機能し、貨幣管理装置２００Ａ、２００Ｂが、貨幣管理端末機として機能するように構成されている。出納機１００および貨幣管理装置２００Ａ、２００Ｂは、それぞれ、上位の貨幣管理装置及び下位の貨幣管理装置として理解されてもよい。
【００２２】
出納機１００および貨幣管理装置２００Ａ、２００Ｂは、それぞれ貨幣を収納することができるように構成されている。出納機１００は、第１および第２の貨幣管理装置２００Ａ、２００Ｂ内の貨幣在高を含めた店舗内の貨幣在高を管理することができるように構成されている。
【００２３】
出納機１００は、第１の貨幣管理装置２００Ａと通信可能に接続されており、第１の貨幣管理装置２００Ａは、第２の貨幣管理装置２００Ｂと通信可能に接続されている。第２の貨幣管理装置２００Ｂは、出納機１００に直接接続されていないが、出納機１００は、第１の貨幣管理装置２００Ａを介して第２の貨幣管理装置２００Ｂの在高管理をすることができるように構成されている。この場合、出納機１００に接続された第１の貨幣管理装置２００Ａが親機として機能し、親機としての第１の貨幣管理装置２００Ａにのみ接続され出納機１００に接続されていない第２の貨幣管理装置２００Ｂが子機として機能する。
【００２４】
第２の貨幣管理装置２００Ｂは、第２の貨幣管理装置２００Ｂに収納されている貨幣の在高を第１の貨幣管理装置２００Ａへ送信する。出納機１００に接続されている第１の貨幣管理装置２００Ａは、第１および第２の貨幣管理装置２００Ａ、２００Ｂの各貨幣在高および第１および第２の貨幣管理装置２００Ａ、２００Ｂに収納されている貨幣の総在高を記憶している。そして、第１の貨幣管理装置２００Ａは、第１および第２の貨幣管理装置２００Ａ、２００Ｂの総在高を出納機１００へ送信する。出納機１００は、第１および第２の貨幣管理装置２００Ａ、２００Ｂに収納されている貨幣の総在高を記憶し管理する。出納機１００は、第１の貨幣管理装置２００Ａにのみ接続されており、かつ、親機である第１の貨幣管理装置２００Ａが第１および第２の貨幣管理装置２００Ａ、２００Ｂの総在高を一括管理しているので、出納機１００は、第１および第２の貨幣管理装置２００Ａ、２００Ｂを１つの貨幣管理装置と見なして管理することができる。これにより、出納機１００の構成および設定を変更すること無く、子機としての第２の貨幣管理装置２００Ｂを増設することが可能となる。
【００２５】
例えば、親機としての第１の貨幣管理装置２００Ａに接続される子機としての貨幣管理装置を２台以上にする。子機としての貨幣管理装置を２００Ｂ、２００Ｃとする。この場合、複数の貨幣管理装置２００Ｂ、２００Ｃがそれぞれの貨幣在高を第１の貨幣管理装置２００Ａに送信する。親機としての第１の貨幣管理装置２００Ａは、複数の貨幣管理装置２００Ｂ、２００Ｃの貨幣在高を記憶し、尚且つ、貨幣管理装置２００Ａ〜２００Ｃの総在高を記憶する。さらに、第１の貨幣管理装置２００Ａは、貨幣管理装置２００Ａ〜２００Ｃの総在高を出納機１００へ送信する。これにより、出納機１００は、第１の貨幣管理装置２００Ａに記憶されている貨幣管理装置２００Ａ〜２００Ｃの総在高を管理することができる。
【００２６】
親機としての第１の貨幣管理装置２００Ａは、第１の貨幣管理装置２００Ａの貨幣在高だけでなく、子機としての貨幣管理装置２００Ｂ、２００Ｃの貨幣在高をも管理する。従って、第１の貨幣管理装置２００Ａは、貨幣管理装置２００Ａ〜２００Ｃの各貨幣在高に応じて、貨幣管理装置２００Ａ〜２００Ｃにおいて出し入れする貨幣の金額または数量の制限を使用者に提示することができる。
【００２７】
このように、出納機１００は、親機としての第１の貨幣管理装置２００Ａに記憶された貨幣管理装置２００Ａ〜２００Ｃの総在高を管理すれば足りるため、出納機１００から見て貨幣管理装置２００Ａ〜２００Ｃは、１つの貨幣管理装置と見なすことができる。
【００２８】
出納機１００は、貨幣管理装置２００Ａ〜２００Ｃの総在高だけでなく、貨幣管理装置２００Ａ〜２００Ｃの各貨幣在高も管理してもよい。これにより、出納機１００は、貨幣管理装置２００Ａ〜２００Ｃの各貨幣在高に応じて、貨幣管理装置２００Ａから２００Ｃにおいて出し入れする貨幣の金額または数量の制限を使用者に提示してもよい。
【００２９】
第１の貨幣管理装置２００Ａおよび第２の貨幣管理装置２００Ｂの親子関係は、出納機１００に通信可能に接続されているか否かによって判断される。例えば、貨幣管理システムを構成する際に、第１の貨幣管理装置２００Ａが出納機１００との通信接続を検知した場合、第１の貨幣管理装置２００Ａは、自己が親機であることを認識する。一方、第２の貨幣管理装置２００Ｂが他の貨幣管理装置２００（ここでは、第１の貨幣管理装置２００Ａ）との通信接続を検知した場合、第２の貨幣管理装置２００Ｂは、自己が子機であると認識する。これにより、複数の貨幣管理装置２００Ａ、２００Ｂの間において、親子関係が成立する。
【００３０】
通信接続される装置の識別は、次のように行えばよい。出納機１００および貨幣管理装置２００Ａ、２００Ｂには、出納機と貨幣管理装置とを識別するための固有の識別ＩＤを予め割り当て、各貨幣管理装置２００Ａ、２００ＢのＲＯＭ２２５ｄまたはハードディスクドライブ２２５ｇ（図８参照）は、識別ＩＤを予め格納している。そして、貨幣管理装置２００Ａが出納機１００または貨幣管理装置２００Ｂに接続されたときに、貨幣管理装置２００Ａは、接続された装置から識別ＩＤを受け取り、その識別ＩＤとＲＯＭ２２５ｄまたはハードディスクドライブ２２５ｇに格納されている識別ＩＤとを比較する。これにより、貨幣管理装置２００Ａ、２００Ｂは、通信接続される装置が出納機または貨幣管理装置のいずれであるかを自動的に認識することができる。
【００３１】
勿論、貨幣管理システム３００の設置者が手作業にて貨幣管理装置２００Ａ、２００Ｂの親子関係を設定してもよい。
【００３２】
上記実施形態において、出納機１００に第１の貨幣管理装置２００Ａを親機として接続し、第１の貨幣管理装置２００Ａが全ての第１および第２の貨幣管理装置２００Ａ、２００Ｂの総在高を出納機１００に送信するようにしている。しかし、出納機１００に対して第１および第２の貨幣管理装置２００Ａ、２００Ｂをそれぞれ接続し、出納機１００が第１および第２の貨幣管理装置２００Ａ、２００Ｂのそれぞれの在高、並びに、第１および第２の貨幣管理装置２００Ａ、２００Ｂの総在高を記憶するようにしても構わない。
【００３３】
図２は、出納機１００の外観を示す斜視図である。図３は、出納機１００の構成を示すブロック図である。
【００３４】
図２に示すように、出納機１００は、束紙幣を処理する束紙幣処理部Ｐ１及びバラ紙幣を処理するバラ紙幣処理部Ｐ２からなる紙幣処理装置１１と、バラ硬貨を処理するバラ硬貨処理装置１２と、包装硬貨を処理する包装硬貨処理装置１３と、を備えている。図２において、２１は束紙幣を出金する束紙幣出金口、２２はバラ紙幣を出金するバラ紙幣出金口、２３は包装硬貨を出金する包装硬貨出金口、２４はバラ硬貨を出金するバラ硬貨出金口、である。
【００３５】
出納機１００は、貨幣以外の有価証券類を投入する貨幣外ボックス１４、出納機１００全体を制御する制御部１５、制御部１５に各種の指示を入力するキーボード式入力部１６、制御部１５による指示に従って印字処理を行う外部プリンタ１８、を備えている。外部プリンタ１８が、レシート発行装置及び／又は認証印字プリンタとして機能するようになっている。本実施形態では、許可者に対して操作情報を提供するために、操作情報に対応する４桁の数字(連携番号)が伝票に印字されるようになっている。
【００３６】
制御部１５は、その一部として、一般行員及び管理者とのインタフェースとしての表示部１５ａと、一般行員及び管理者が所持するＩＤカードの内容を読み取るＩＤカードリーダ１５ｂと、を備えている。表示部１５ａは、タッチパネル式表示装置であてもよい。これにより、表示部１５ａは、入力部または操作部としても機能することができる。また、本実施形態においてはＩＤカードリーダが用いられているが、これに限られず、公知の顔認証端末や、指に流れる静脈を認証するもの等、使用者本人を認証する個人認証情報であれば何を用いても構わない。
【００３７】
図３に示すように、制御部１５は、各種プログラム及びデータを格納したＲＯＭ１５ｄ、プログラムのロード領域やプログラム実行時における作業領域となるＲＡＭ１５ｅ、フレキシブルディスクに対してデータを読み書きするフレキシブルディスクドライブ１５ｆ、各種プログラム及びデータを記憶したハードディスクドライブ１５ｇ、ＲＯＭ１５ｄやハードディスクドライブ１５ｇ内に格納されたプログラムを実行等して出納機１００全体を制御する演算部（ＣＰＵ）１５ｃ、を備えている。
【００３８】
また、出納機１００は、第１の貨幣管理装置２００Ａとの間でデータ通信を行う通信インタフェース（通信ＩＦ）１９をさらに備えている。これにより、出納機１００と第１の貨幣管理装置２００Ａとは、相互に通信可能となっている。例えば、出納機１００と第１の貨幣管理装置２００Ａとは、無線ＬＡＮ、光ＬＡＮ等で通信可能なように接続されている。出納機１００は、インタフェース１９を介して第１の貨幣管理装置２００Ａから第１および第２の貨幣管理装置２００Ａ、２００Ｂの総在高を受け取ることができる。
【００３９】
図４は、第１の貨幣管理装置２００Ａの外観を示す斜視図である。第１の貨幣管理装置２００Ａと第２の貨幣管理装置２００Ｂとは同じ構成を有するので、第１の貨幣管理装置２００Ａの構成のみを説明し、第２の貨幣管理装置２００Ｂの構成についてはその説明を省略する。
【００４０】
第１の貨幣管理装置２００Ａは、１万円紙幣を収納保管する第１紙幣収納ドロア２１１と、その他の金種の紙幣を収納保管する第２紙幣収納ドロア２１２と、１００円と１０円と１円の硬貨を収納保管する第１硬貨収納ドロア２１３と、５００円と５０円と５円の硬貨を収納保管する第２硬貨収納ドロア２１４と、貨幣以外の有価証券類も投入することができる予備収納ドロア２１５と、を有している。
【００４１】
第１の貨幣管理装置２００Ａは、第１の貨幣管理装置２００Ａの全体を制御する制御部２２５と、制御部２２５に各種の指示を与えるキーボード式入力部２２６と、使用者（営業員及び管理者）とのインタフェースとしての表示部２２７と、収納庫に貨幣を入出金する操作を行う使用者が所持するＩＤカードの内容を読み取るＩＤカードリーダ２２８と、を備えている。
【００４２】
図４では、接触式のＩＤカードリーダ２２８が採用されているが、非接触式のカードリーダが採用されてもよい。また、ＩＤカードリーダの他に、出納機１００と同様、顔認証や静脈認証等を利用するための機器が採用されてもよい。
【００４３】
図５は、第１の貨幣管理装置２００Ａの第２紙幣収納ドロア２１２の斜視図である。第２紙幣収納ドロア２１２には紙幣の束が、規則正しく収納保管される。図５では、第２紙幣収納ドロア２１２の内部に、４つの紙幣保管容器２２１〜２２４が配置されており、各容器ごとに、収納保管される紙幣の金種が決められている。また、１束１００枚の束紙幣を１０束ごとに束ねた大束紙幣が収納保管されるように構成されていてもよい。
【００４４】
図６は、第１の貨幣管理装置２００Ａの第２硬貨収納ドロア２１４の斜視図である。第２硬貨収納ドロア２１４には棒金状態の硬貨が、規則正しく収納保管される。図６では、第２硬貨収納ドロア２１４の内部に、３つの硬貨保管容器２４１〜２４３が配置されており、各容器ごとに、収納保管される硬貨の金種が決められている。
【００４５】
硬貨保管容器２４１の底面には、硬貨保管容器２４１内に収納保管される硬貨の重量を測定するための測定手段として、ロードセル２６１が設けられている。ロードセル２６１の構成の詳細については十分に知られていると思われるので、ここでの説明は省略する。
【００４６】
他の硬貨保管容器２４２、２４３、並びに、紙幣保管容器２２１〜２２４についても、同様にロードセル２６１が設けられている。このような構成によって、各金種ごとに、収納保管されている貨幣の重量が測定されるようになっている。
【００４７】
図７は、予備収納庫（予備ドロア）２１５の斜視図である。予備収納庫２１５には硬貨予備収納部２５１及び紙幣予備収納部２５２の他に、貨幣以外の有価証券類を投入することができる空スペース２５３が設けられている。
【００４８】
図８は、第１の貨幣管理装置２００Ａの制御部２２５の構成を示すブロック図である。制御部２２５は、各種プログラム及びデータを格納したＲＯＭ２２５ｄ、プログラムのロード領域やプログラム実行時における作業領域となるＲＡＭ２２５ｅ、各種プログラム及びデータを記憶したハードディスクドライブ２２５ｇ、ＲＯＭ２２５ｄまたはハードディスクドライブ２２５ｇ内に格納されたプログラムを実行等して第１の貨幣管理装置２００Ａ全体を制御する演算部２２５ｃ、を備えている。
【００４９】
演算部２２５ｃは、各金種ごとに対応して設けられたロードセル２６１（重量測定手段）に接続されており、ロードセル２６１の出力値に基づいて、収納保管された貨幣の重量に対応する貨幣の金額を算出できるように構成されている。そして、ハードディスクドライブ２２５ｇが、演算部２２５ｃによって算出された貨幣の金額を記憶するように構成されている。
【００５０】
ＩＤカードリーダ２２８が読み取るＩＤ情報も、算出された貨幣の金額（入出金操作後の収納保管金額）と対応させた態様で、ハードディスクドライブ２２５ｇに記憶されるように構成されている。
【００５１】
更に、キーボード式入力部２２６において、収納庫に対して入出金される貨幣の金額が入力されるように構成されており、演算部２２５ｃが、精査手段として、ロードセル２６１の出力値から算出された金額と、キーボード式入力部２２６で入力された金額と、を精査できるように構成されている。
【００５２】
第１の貨幣管理装置２００Ａは、出納機１００との間でデータ通信を行う通信インタフェース（通信ＩＦ）２２９を備えている。これにより、第１の貨幣管理装置２００Ａと出納機１００とは、相互に通信可能となっている。これにより、第１の貨幣管理装置２００Ａは、インタフェース２２９を介して第１および第２の貨幣管理装置２００Ａ、２００Ｂの総在高を出納機１００へ送信することができる。また、第２の貨幣管理装置２００Ｂは、第２の貨幣管理装置２００Ｂのインタフェース２２９を介して第２の貨幣管理装置２００Ｂの在高を第１の貨幣管理装置２００Ａへ送信することができる。
【００５３】
制御部２２５は、ロック制御手段として、各ドロア２１１〜２１５に設けられた開閉電磁ロック２１１ｍ〜２１５ｍに接続されていて、各ドロア２１１〜２１５を、貨幣の入出金が可能な開状態と貨幣の入出金が不可能なロック状態との間で切替えることができるように構成されている。
【００５４】
ドロア２１１〜２１５のロック状態の切替の条件として、使用者照合が採用されている。例えば、予め許可者として設定された使用者のＩＤ情報が、ハードディスクドライブ２２５ｇに記憶されていて、ＩＤカードリーダ２２８が読み取ったＩＤ情報が演算部２２５ｃによって、許可者のＩＤ情報に対して照合される。照合の結果がＹＥＳである場合にのみ、即ち、ＩＤカードリーダ２２８が読み取ったＩＤ情報が、予め許可者として設定された使用者のＩＤ情報に合致する場合にのみ、制御部２２５は、開閉電磁ロック２１１ｍ〜２１５ｍを制御して、貨幣の収納／取出が可能な開状態とすることができる。
【００５５】
別の切替の条件として、本実施の形態では、使用者照合に加えて、連携情報の照合も採用され得る。連携情報とは、例えば入出金操作ごとに設定される操作情報であり、通常は入出金の金種及び金額のデータであるが、入出金操作の手順に関するデータ（例えば、連携番号）を含むこともあり得る。連携情報の照合の具体的態様としては、例えば、予め許可操作として設定された連携情報が、出納機１００から通信機能を利用して例えばＲＡＭ２２５ｅに転送記憶され、一方、使用者によって、連携情報に対応する４桁の連携番号が、キーボード式入力部２２６で入力され得る。そして、入力された４桁の連携番号の情報が、操作識別手段としての演算部２２５ｃによって、転送記憶された連携情報内の連携番号に対して照合され得る。この場合、照合の結果がＹＥＳである場合、即ち、入力された４桁の連携番号が、転送記憶された許可操作の連携情報内の連携番号に合致する場合にのみ、制御部２２５は、開閉電磁ロック２１１ｍ〜２１５ｍを制御して、貨幣の入出金が可能な開状態とすることができる。このように、連携番号は、出納機１００と貨幣管理装置２００Ａ、２００Ｂとの間の貨幣の入出金処理において、出納機１００と貨幣管理装置２００Ａ、２００Ｂとの連携を図るために用いられる連携認証情報である。連携番号は、貨幣の入出金処理ごとに生成され、出納機１００と貨幣管理装置２００Ａ、２００Ｂとの間の貨幣の移動処理を特定又は認証するために用いられる。連携認証情報は、必ずしも番号である必要は無く、特定の文字または記号であってもよい。
【００５６】
尚、この態様においては、好適なことに、入出金操作の具体的内容に即して、開閉電磁ロック２１１ｍ〜２１５ｍを個別に制御することが可能である。具体的には、入出金対象である金種を収納するドロアのみを、開状態に切り替えることができる。更には、複数のドロアが同時には開状態にならないように、各ドロアを順に開状態に切り換えるという制御態様を採用することも可能である。
【００５７】
一方、入出金操作ごとに連携番号の入力を必須とした場合、出納機１００と貨幣管理装置２００Ａ、２００Ｂとの間の入出金処理は、セキュリティ上および複数の処理の重複を回避するために好ましいと言える。しかし、出納機１００と貨幣管理装置２００Ａ、２００Ｂとが互いに接近して配置されている場合には、出納機１００と貨幣管理装置２００Ａ、２００Ｂとの間の貨幣の移動は、通常、即座に実行される。例えば、操作者は、出納機１００から貨幣を取り出し、その後直に、貨幣管理装置２００Ａ、２００Ｂへその貨幣を入れる。このため、連携番号の入力を省略してもセキュリティ上さほど問題にならず、かつ、複数の処理が重複することもない。むしろ、入出金操作ごとに毎回連携番号の入力をしなければならないとすれば、操作者にとって煩雑であり、操作性を損ねる可能性がある。
【００５８】
従って、本実施形態による出納機１００は、出納機１００と貨幣管理装置２００Ａ、２００Ｂとが互いに接近して配置されているような場合に連携番号の入力を省略できるように、連携番号の入力の要否を選択可能とする。操作者は、連携番号の要否のいずれかをキーボード式入力部１６において選択することができる。
【００５９】
本実施形態では、出納機１００と第１の貨幣管理装置２００Ａとが相互に通信可能であることを利用して、更に以下のような構成が採用されている。
【００６０】
出納機１００の制御部１５は、通信機能を利用して第１の貨幣管理装置２００Ａの貨幣在高データを確認及び／又は精査するように構成されている。具体的には、出納機１００の制御部１５が、通信インタフェース１９及び通信インタフェース２２９を介して、精査手段である第１の貨幣管理装置２００Ａの演算部２２５ｃを制御できるように構成されている。
【００６１】
その他、各ドロア２１１〜２１５の開状態が所定時間以上継続している際に報知信号を出力する報知装置（アラーム装置）２８０が更に設けられている。例えば、操作者が第１の貨幣管理装置２００Ａから貨幣を取り出すためにドロア２１１〜２１５のいずれかを開状態にした後、その開状態が所定時間以上継続した場合、報知装置２８０が動作する。報知装置２８０を停止するためには、管理者が報知装置２８０のアラームを停止する必要がある。連携番号の入力が不要であると設定されている場合であっても、報知装置２８０は、同様に動作することが好ましい。
【００６２】
また、貨幣管理装置２００Ａ、２００Ｂと出納機１００との連携動作において、出納機１００に貨幣を入金している際に収納庫がフルになった場合、入金処理の途中であっても処理を中断し、収納庫の貨幣を貨幣管理装置２００Ａ、２００Ｂに移すことができ、移し終えたら入金処理を再開することができる。また、出納機１００から貨幣を出金している際に収納庫がエンプティになった場合、出金処理の途中であっても処理を中断し、貨幣管理装置２００Ａ、２００Ｂに保管してある貨幣を出納機１００に装填し、装填が終了したら出金処理を再開することができる。
【００６３】
上述のように、入出金処理の途中に貨幣管理装置２００Ａ、２００Ｂと出納機１００との間で貨幣を移動させる場合、移動させる貨幣の金種と枚数、及び金額を互いの装置の間でデータを送受信し、正しく貨幣が移されたかどうかを確認する。
【００６４】
次に、以上に説明した貨幣管理システム３００の動作例について、フローチャートを参照しながら説明する。
【００６５】
図９は、出納機１００の側での入出金操作準備プロセスの一例のフローチャートである。まず、ＩＤカードリーダ１５ｂによって、出納機１００の操作者のＩＤ情報が読み取られる（Ｓ１１）。当該ＩＤ情報に基づいて、その操作者が、出納機１００の操作許可者であるか否かが識別される（Ｓ１２）。
【００６６】
操作許可者であれば、出納機１００の操作メニューが表示部１５ａに表示される（Ｓ１３）。その表示を見ながら、操作者（操作許可者）は、キーボード式操作部１６を用いて処理内容を入力する（Ｓ１４）。ここで、連携取出／収納を選択する。また、本例では、セキュリティの一層の向上のために、暗証番号入力を求める（Ｓ１５）。
【００６７】
暗証番号の照合の後、操作者（操作許可者）は、キーボード式操作部１６を用いて、入出金操作の詳細を入力する（Ｓ１６）。具体的には、入出金対象の金種及び束数あるいは本数のデータが入力される。その後、操作者による入力完了キーの操作によって、入力完了が検知される（Ｓ１７）。出納機１００は、入力された入出金操作の詳細を含む操作情報としての連携情報（連携処理キューとも呼ばれる）を作成し、その連携情報に対して、連携情報の一部としての連携番号を発行する。出納機１００は、当該連携番号と実際の入出金操作の詳細な内容との対応付けを含む連携情報をハードディスク１５ｇに記憶する（Ｓ１８）。それとともに、出納機１００は、連携情報の入出金操作が貨幣管理装置２００Ａ、２００Ｂにおける入出金操作を含むものである場合、担当者が貨幣管理装置２００Ａ、２００Ｂの操作権限を有する限りにおいて、通信回線を介してオープン要求（後述）を送信する。これにより、貨幣管理装置２００Ａ、２００Ｂは、操作入力画面を連携番号入力画面までスキップさせることができる。尚、出納機１００は、連携情報を貨幣管理装置２００Ａ、２００Ｂには送信せずに、レシート発行装置１８により、レシート又は取引伝票に当該連携番号を含む印字を行い、そのレシート又は取引伝票を発行する（Ｓ１９）。
【００６８】
図１０は、貨幣管理装置２００Ａ、２００Ｂにおける入出金操作プロセスのフローチャートである。操作者は、親機である第１の貨幣管理装置２００Ａのみを操作する。第１の貨幣管理装置２００Ａは、操作者による操作に基づいて、子機である第２の貨幣管理装置２００Ｂの動作を制御する。
【００６９】
まず、ＩＤカードリーダ２２８によって、第１の貨幣管理装置２００Ａの操作者のＩＤ情報が読み取られる（Ｓ２１）。当該ＩＤ情報に基づいて、その操作者が、第１の貨幣管理装置２００Ａの操作許可者であるか否かが識別される（Ｓ２２）。
【００７０】
操作許可者であれば、貨幣管理装置２００の操作メニューが表示部２２７に表示される（Ｓ２３）。その表示を見ながら、操作者（操作許可者）は、キーボード式入力部２２６から処理内容を入力する（Ｓ２４）。
【００７１】
まず、出納機１００との連携処理が選択される場合について先に説明する。
【００７２】
連携処理が選択されると、本例では、セキュリティの一層の向上のために、暗証番号入力を求める（Ｓ２５）。暗証番号の照合の後、操作者は、キーボード式操作部２２６から出納機１００にて発行された連携番号を入力する（Ｓ２６）。
【００７３】
尚、連携番号は、出納機１００において操作者のＩＤ情報が識別され且つ暗証番号が入力された結果として発行されたものであるので、他の実施の形態として、出納機１００の操作者が貨幣管理装置２００の操作権限も有する者である場合には、ここで連携番号の入力のみを要求し、ＩＤ情報及び暗証番号の上記入力要求は省略するようにできる。
【００７４】
連携番号の入力に応じて、第１の貨幣管理装置２００Ａは、出納機１００に問い合わせを行う。出納機１００は、当該連携番号を用いて連携情報を検索し、当該連携番号に対応する連携情報の内容である取出／収納の詳細情報（取出／収納の対象である金種乃至金額のデータの他、ドロアの開閉手順のデータが含まれ得る）をピックアップして第１の貨幣管理装置２００Ａに送信する（Ｓ２７）。第１の貨幣管理装置２００Ａは、その一部又は全部の情報を操作者の確認のために表示する（Ｓ２８）。確認の後、操作者による入力完了キーの操作によって、取出／収納準備完了が検知される（Ｓ２９）。
【００７５】
その後、連携情報に含まれる取出／収納操作の詳細に基づいて貨幣の収納処理又は取出処理が行われる（Ｓ３０）。キーボード式操作部２２６から当該処理が完了した旨の入力が行われると、当該連携情報が更新されてハードディスク２２５ｇに更新記憶される（Ｓ３１）。そして、通信回線を介して当該連携情報が出納機１００にも送信され、出納機１００における当該連携情報が処理済として更新される。
【００７６】
貨幣管理装置２００Ａ、２００Ｂにおいて貨幣を取出／収納する詳細な動作については後述する。
【００７７】
次に、貨幣管理装置２００Ａ（または２００Ｂ）での単体処理、即ち、出納機１００から予め受信する連携情報に基づかないローカル処理が選択される場合について説明する。第２の貨幣管理装置２００Ｂのローカル処理は、第１の貨幣管理装置２００Ａのそれと同様であるので、以下、第１の貨幣管理装置２００Ａのローカル処理を説明し、第２の貨幣管理装置２００Ｂのローカル処理の説明を省略する。
【００７８】
単体処理が選択されると、本例では、セキュリティの一層の向上のために、暗証番号入力を求める（Ｓ１２５）。第１の貨幣管理装置２００Ａの単体処理は、出納機１００から予め受信する連携情報に基づかない処理であって、当該処理に対応する連携情報が未作成の処理である。従って、出納機１００から受信した連携情報に基づく連携処理の場合と異なり、ＩＤ情報及び暗証番号の入力要求は省略することができない。
【００７９】
暗証番号の照合の後、操作者（操作許可者）は、キーボード式操作部２２６から、取出／収納操作の詳細を入力する（Ｓ１２６）。具体的には、取出／収納対象の金種及び束数あるいは本数のデータが入力される。その後、操作者による入力完了キーの操作によって、入力完了が検知される（Ｓ１２７）。
【００８０】
第１の貨幣管理装置２００Ａは、入力された取出／収納操作の詳細を含む処理情報としてのローカル処理情報を作成し、そのローカル処理情報に対して、ローカル処理情報の一部としてのローカル処理番号を発行する。第１の貨幣管理装置２００Ａは、当該ローカル処理番号と実際の取出／収納操作の詳細な内容との対応付けを含むローカル処理情報をハードディスク２２５ｇに記憶する。それとともに、第１の貨幣管理装置２００Ａは、通信回線を介して当該ローカル処理情報を出納機１００に送信する。この時に通信回線が切断された状態であった場合は、第１の貨幣管理装置２００Ａに当該ローカル処理情報を保持しておき、その後、通信回線が接続されたときに出納機１００に送信する。第１の貨幣管理装置２００Ａでの単体処理に関するローカル処理情報の送信前には、出納機１００は、当該単体処理に関する情報を何も持っていない状態であるので、単体処理に関するローカル処理情報は例外なく総て出納機１００に送信する。
【００８１】
その後、ローカル処理情報に含まれる取出／収納操作の詳細に基づいて貨幣の収納／取出が行われる（Ｓ１２８）。キーボード式操作部２２６から、当該処理が完了した旨の入力が行われると、当該ローカル処理情報が更新されてハードディスク２２５ｇに更新記憶される（Ｓ１２９）。それとともに、通信回線を介して当該ローカル処理情報が出納機１００にも送信され、出納機１００における当該ローカル処理情報が更新される。上記同様、この時に通信回線が切断された状態であった場合は、第１の貨幣管理装置２００Ａに当該ローカル処理情報を保持しておき、その後、通信回線が接続されたときに出納機１００に送信する。尚、当該ローカル処理情報の作成時に当該ローカル処理情報を出納機１００に送信できず未送信であった場合には、取出／収納操作の完了後に更新済みの当該ローカル処理情報のみを送信するようにしてもよい。
【００８２】
尚、第２の貨幣管理装置２００Ｂのローカル処理情報は、第１の貨幣管理装置２００Ａを介して出納機１００へ送信される。
【００８３】
図１１は、本実施形態による貨幣管理システム及び貨幣管理方法による貨幣在高管理の全体像を模式的に表した説明図である。
【００８４】
出納機１００と貨幣管理装置２００Ａ、２００Ｂとは、相互に通信可能に構成されているが、その通信回線は常時接続ではなく、随時、任意に接続を物理的に切断することができる。従って、貨幣管理装置２００Ａ、２００は、店舗内の任意の場所へ移動して使用することができる。尚、貨幣管理装置２００Ａ、２００は、単体での在高管理も可能である。
【００８５】
本実施形態による貨幣管理システム及び貨幣管理方法においては、金融機関の店舗内の総ての在高管理は、出納機１００によって行われる。出納機１００が管理する貨幣在高には、在庫在高６、機械在高１、ポスト在高２、手持ち在高３が含まれる。
【００８６】
在庫在高６とは、金融機関店舗内の本金庫内に収納されている貨幣の在高である。機械在高１とは、出納機１００内に収納されている貨幣の在高である。ポスト在高２とは、出納機１００のポスト、即ち、前述の現金外ボックス１４に入金された小切手等の有価証券類や、破損又は汚損した紙幣である損券であって、出金が不可能な貨幣の在高である。手持ち在高３とは、資金移動のために一時的に本金庫又は出納機１００から取り出される等して、人手による管理の下に置かれている貨幣の在高であるが、貨幣管理装置２００Ａ、２００Ｂに収納されて移動可能な状態となっている貨幣の在高である貨幣管理装置在高４（４Ｘ，４Ｙ）も手持ち在高の一部として管理される。貨幣管理装置在高４は、出納機１００において手持ち在高３の一部４Ｘとして管理されるが、貨幣管理装置２００Ａ、２００Ｂ自体においては、貨幣管理装置在高４Ｙとして管理されるものである。貨幣管理装置２００Ａ、２００Ｂの貨幣管理装置在高４Ｙは、出納機１００により第１の貨幣管理装置２００Ａに随時問い合わせられる。第１の貨幣管理装置２００Ａは、第２の貨幣管理装置２００Ｂの貨幣在高も管理しているので、出納機１００は、第１の貨幣管理装置２００Ａへ問い合わせることによって、貨幣管理装置２００Ａ、２００Ｂの各貨幣在高を足した総在高を把握することができる。従って、貨幣管理装置在高４Ｘと貨幣管理装置在高４Ｙとは、出納機１００と第１の貨幣管理装置２００Ａとの間で連携情報を送受信して双方の貨幣在高データを更新することにより一致させられる。
【００８７】
連携情報は、出納機１００の処理情報管理データベース４００に記憶され、必要に応じて随時、更新される。この処理情報管理データベース４００は、例えば、出納機１００のハードディスクドライブ１５ｇに記憶される。
【００８８】
顧客との間で入出金を行う場合には、機械在高又は手持ち在高に含まれる貨幣を用いて入出金を行う。また、顧客から小切手等の有価証券類が入金された場合や、入金された貨幣の中に損券が含まれていた場合は、それらはポスト入金されてポスト在高として管理されるが、その後、それらの有価証券類や損券が出納機１００のポストから回収されると、そのポスト在高は手持ち在高の一部として管理される。
【００８９】
出納機１００に収納されている貨幣が不足したり入り切らなくなったりしたときは、本金庫から貨幣を取り出して出納機１００に補充したり、出納機１００から貨幣を回収して本金庫に収納したりする。その資金移動の際には、当該資金は一時的に手持ち在高として管理される。
【００９０】
貨幣管理装置２００Ａ、２００Ｂに収納されている貨幣が不足したり入り切らなくなったときは、本金庫から貨幣を取り出して貨幣管理装置２００Ａ、２００Ｂに補充したり、手持ち在高の中から貨幣を貨幣管理装置２００Ａ、２００Ｂに装填したり、貨幣管理装置２００Ａ、２００Ｂから貨幣を回収して本金庫に収納したり、あるいは、手元に置いて手持ち在高として管理したりする。
【００９１】
総ての資金移動は、上述のように出納機１００によって在高管理が行われるが、特に、貨幣管理装置２００Ａ、２００Ｂにおける貨幣の収納及び取出を含む入出金操作が行われる場合には、連携番号が付された連携情報が出納機１００において作成される。貨幣管理装置２００Ａ、２００Ｂの取出／収納操作の実行前に当該連携情報が出納機１００から第１の貨幣管理装置２００Ａへ送信され、かつ、その取出／収納操作の実行後にも当該連携情報の更新情報が第１の貨幣管理装置２００Ａから出納機１００へ送り返されて、出納機１００と第１の貨幣管理装置２００Ａとにおける当該連携情報の整合が図られ、正確な在高管理が維持される。
【００９２】
図１２は、図１０に示すステップ３０の収納／取出処理における貨幣管理装置２００Ａ、２００Ｂの詳細な動作を示すフロー図である。まず、第１の貨幣管理装置２００Ａの制御部２２５は、収納／取出処理の対象である貨幣（以下、処理対象貨幣とも言う）の数量または金額と、貨幣管理装置２００Ａ、２００Ｂの総在高のうち処理対象貨幣に対応する金種の総在高とを比較する（Ｓ３１０）。貨幣管理装置２００Ａ、２００Ｂ内の当該金種の総在高が処理対象貨幣の数量または金額よりも少ない場合（Ｓ３１０のＮＯ）、エラーが表示部２２７に表示される（Ｓ３２０）。この場合、本金庫等から貨幣管理装置２００Ａ，２００Ｂへ貨幣を補充する必要がある。貨幣の補充は、操作者または管理者（出納責任者）が行う。
【００９３】
貨幣管理装置２００Ａ、２００Ｂ内の当該金種の総在高が処理対象貨幣の数量または金額以上である場合（Ｓ３１０のＹＥＳ）、親機である第１の貨幣管理装置２００Ａは、自己のドロア２１１〜２１４を開状態にする（Ｓ３３０）。このとき、第１の貨幣管理装置２００Ａは、処理対象貨幣の金種に対応するドロアのみを開状態にしてもよい。
【００９４】
操作者が第１の貨幣管理装置２００Ａから貨幣を収納または取出した後（Ｓ３４０）、ドロア２１１〜２１４を閉じる（Ｓ３５０）。第１の貨幣管理装置２００Ａの演算部２２５ｃは、ロードセル２６１を介して第１の貨幣管理装置２００Ａ内の貨幣在高を精査する（Ｓ３６０）。このとき、操作者によって収納または取出された貨幣の数量または金額Ａと処理対象貨幣の数量または金額Ｂとを比較する。その結果、操作者によって収納または取出された貨幣の数量または金額Ａが処理対象貨幣の数量または金額Ｂよりも多い場合（Ｓ３６０のＡ＞Ｂ）、エラーが表示部２２７に表示される（Ｓ３７０）。これは、不正や誤った処理を防止するためである。この場合、第１の貨幣管理装置２００Ａは、再度、ドロア２１１〜２１４を開状態にするか、あるいは、警告音にて注意を喚起する。操作者または管理者は、貨幣を第１の貨幣管理装置２００Ａに収納し直し、または、貨幣を第１の貨幣管理装置２００Ａから取出し直す（Ｓ３４０）。そして、ステップＳ３５０およびＳ３６０を再度実行する。
【００９５】
操作者によって収納または取出された貨幣の数量Ａまたは金額が処理対象貨幣の数量または金額Ｂと等しい場合（Ｓ３６０のＡ＝Ｂ）、収納処理または取出処理は、第１の貨幣管理装置２００Ａにおいて終了する。即ち、操作者は、第２の貨幣管理装置２００Ｂにおいて貨幣を出し入れする必要がない。従って、第１の貨幣管理装置２００Ａは、自己の在高および総在高を更新した（Ｓ３８０）後に、貨幣管理装置２００Ａ、２００Ｂの各貨幣在高および総在高を出納機１００へ送信する（Ｓ３９０）。出納機１００は、第１の貨幣管理装置２００Ａからの更新済みの貨幣在高および総在高を受信して、それらの在高情報に基づいて管理装置在高４Ｘを更新する（Ｓ４００）。これにより、収納／取出処理は終了する。
【００９６】
操作者によって収納または取出された貨幣の数量または金額Ａが処理対象貨幣の数量または金額Ｂよりも少ない場合（Ｓ３６０のＡ＜Ｂ）、即ち、処理対象貨幣のうち一部の貨幣が第１の貨幣管理装置２００Ａにおいて出し入れされた場合には、第１の貨幣管理装置２００Ａの演算部２２５ｃは、収納または取出された一部の貨幣の金額または数量を処理対象貨幣の金額または数量から減算して得られる残りの貨幣（残貨幣）の金額または数量を算出する（Ｓ４１０）。第１の貨幣管理装置２００Ａの表示部２２７は、上記残貨幣の金種および数量または金額を表示して、操作者に第２の貨幣管理装置２００Ｂにおいて残貨幣の収納または取出を促すとともに、第２の貨幣管理装置２００Ｂへ残貨幣の金種および数量または金額を通知する（Ｓ４２０）。
【００９７】
第２の貨幣管理装置２００Ｂは、残貨幣の金種および数量または金額の情報を受信すると（Ｓ４３０）、自己のドロア２１１〜２１４を開状態にする（Ｓ４４０）。このとき、第２の貨幣管理装置２００Ｂは、処理対象貨幣のうち上記残貨幣の金種に対応するドロアのみを開状態にしてもよい。
【００９８】
操作者が第２の貨幣管理装置２００Ｂから貨幣を収納または取出した後（Ｓ４５０）、ドロア２１１〜２１４を閉じる（Ｓ４６０）。第２の貨幣管理装置２００Ｂの演算部２２５ｃは、ロードセル２６１を介して第２の貨幣管理装置２００Ｂ内の貨幣在高を精査する（Ｓ４７０）。このとき、操作者によって収納または取出された貨幣の数量または金額Ｃと残貨幣の数量または金額Ｄとを比較する。その結果、操作者によって収納または取出された貨幣の数量または金額Ｃが残貨幣の数量または金額Ｄよりも多い場合（Ｓ４７０のＣ＞Ｄ）、エラーが表示部２２７に表示される（Ｓ４８０）。これは、不正や誤った処理を防止するためである。この場合、第２の貨幣管理装置２００Ｂは、再度、ドロア２１１〜２１４を開状態にするか、あるいは、警告音にて注意を喚起する。操作者または管理者は、貨幣を第２の貨幣管理装置２００Ｂに収納し直し、または、貨幣を第２の貨幣管理装置２００Ｂから取出し直す。そして、ステップＳ４６０およびＳ４７０を再度実行する。
【００９９】
操作者によって収納または取出された貨幣の数量または金額が残貨幣の数量または金額と等しい場合（４７０のＣ＝Ｄ）、収納処理または取出処理は、第２の貨幣管理装置２００Ｂにおける貨幣の出し入れによって終了する。この場合、もし、第３の貨幣管理装置（図示せず）が子機として第１の貨幣管理装置２００Ａに接続されていたとしても、操作者は、第３の貨幣管理装置において貨幣を出し入れする必要がない。第２の貨幣管理装置２００Ｂは、自己の貨幣在高を更新した（Ｓ４９０）後に、貨幣在高を第１の貨幣管理装置２００Ａへ送信する（Ｓ５００）。そして、第２の貨幣管理装置２００Ｂは、収納／取出処理を終了する。
【０１００】
第１の貨幣管理装置２００Ａは、第２の貨幣管理装置２００Ｂからの更新済みの貨幣在高を受信して、その貨幣在高に基づいて第２の貨幣管理装置２００Ｂの在高を更新する。また、第１の貨幣管理装置２００Ａは、自己の在高および総在高も更新する（Ｓ５１０）。貨幣管理装置２００Ａ、２００Ｂの各貨幣在高および総在高を出納機１００へ送信する（Ｓ３９０）。そして、第１の貨幣管理装置２００Ａは、収納／取出処理を終了する。出納機１００は、第１の貨幣管理装置２００Ａからの更新済みの貨幣在高および総在高を受信して、それらの在高情報に基づいて管理装置在高４Ｘを更新する（Ｓ４００）。これにより、収納／取出処理は終了する。
【０１０１】
操作者によって収納または取出された貨幣の数量または金額Ｃが残貨幣の数量または金額Ｄよりも少ない場合（Ｓ４７０のＣ＜Ｄ）、第３の貨幣管理装置が子機として第１の貨幣管理装置２００Ａに接続されていなければ、エラーが表示部２２７に表示される（Ｓ４８０）。即ち、子機として第２の貨幣管理装置２００Ｂしか設けられていない場合には、エラーが表示部２２７に表示される。これは、不正や誤った処理を防止するためである。ただし、取出処理において、操作者は、意図的に残貨幣の数量または金額よりも少ない貨幣しか取出さない場合がある。例えば、官封券のみを取出すときに、残貨幣の数量または金額以上の官封券が第２の貨幣管理装置２００Ｂに収納されていない場合、操作者は、官封券のみを取出すことがある。この場合、実際に取出された貨幣の数量または金額は、残貨幣の数量または金額よりも少ない。従って、取出処理においては、取出された貨幣の数量または金額Ｃが残貨幣の数量または金額Ｄよりも少なくても、エラーを表示部２２７に表示しないように貨幣管理装置２００Ａ、２００Ｂを設定してもよい。
【０１０２】
図１３は、複数の貨幣管理装置２００Ｂ、２００Ｃが子機として第１の貨幣管理装置２００Ａに接続されている場合における収納／取出処理のフロー図である。図１３に示すステップＳ３１０〜Ｓ４７０は、図１２に示すステップＳ３１０〜Ｓ４７０と同じである。尚、第３の貨幣管理装置を便宜的に２００Ｃと呼ぶ。
【０１０３】
子機として複数の貨幣管理装置２００Ｂ、２００Ｃが設けられている場合、ステップＳ４７０において、残貨幣のうち一部の貨幣が第２の貨幣管理装置２００Ｂにおいて収納または取出された場合（Ｓ４７０のＣ＜Ｄ）、エラーを表示することなく、第２の貨幣管理装置２００Ｂは、自己の貨幣在高を更新し（Ｓ４９０）、更新後の貨幣在高を第１の貨幣管理装置２００Ａへ送信する（Ｓ５００）。
【０１０４】
そして、第１の貨幣管理装置２００Ａの演算部２２５ｃは、第２の貨幣管理装置２００Ｂにおいて収納または取出された一部の貨幣の金額または数量を残貨幣（第１の残貨幣）の金額または数量から減算して得られる残りの貨幣（第２の残貨幣）の金額または数量を算出する（Ｓ５２０）。第１の貨幣管理装置２００Ａの表示部２２７は、上記第２の残貨幣の金種および数量または金額を表示するとともに、第３の貨幣管理装置２００Ｃへ第２の残貨幣の金種および数量または金額を通知する（Ｓ５３０）。
【０１０５】
第３の貨幣管理装置２００Ｃは、第２の残貨幣について、第２の貨幣管理装置２００Ｂと類似の動作を実行する。より詳細には、第３の貨幣管理装置２００Ｃは、第２の残貨幣の金種および数量または金額の情報を受信すると（Ｓ４３１）、自己のドロア２１１〜２１４を開状態にする（Ｓ４４１）。このとき、第３の貨幣管理装置２００Ｃは、処理対象貨幣のうち第２の残貨幣の金種に対応するドロアのみを開状態にしてもよい。
【０１０６】
操作者が第３の貨幣管理装置２００Ｃから貨幣を収納または取出した後（Ｓ４５１）、ドロア２１１〜２１４を閉じる（Ｓ４６１）。第３の貨幣管理装置２００Ｃの演算部２２５ｃは、ロードセル２６１を介して第３の貨幣管理装置２００Ｃ内の貨幣在高を精査する（Ｓ４７１）。このとき、操作者によって収納または取出された貨幣の数量または金額Ｅと第２の残貨幣の数量または金額Ｆとを比較する。その結果、操作者によって収納または取出された貨幣の数量または金額Ｅが第２の残貨幣の数量または金額Ｆよりも多い場合（Ｓ４７１のＥ＞Ｆ）、エラーが表示部２２７に表示される（Ｓ４８１）。この場合、第３の貨幣管理装置２００Ｃは、再度、ドロア２１１〜２１４を開状態にするか、あるいは、警告音にて注意を喚起する。操作者または管理者は、貨幣を第３の貨幣管理装置２００Ｃに収納し直し、または、貨幣を第３の貨幣管理装置２００Ｃから取出し直す。そして、ステップＳ４６１およびＳ４７１を再度実行する。
【０１０７】
操作者によって収納または取出された貨幣の数量または金額が第２の残貨幣の数量または金額と等しい場合（４７１のＥ＝Ｆ）、収納処理または取出処理は、第３の貨幣管理装置における貨幣の収納または取出しによって完了する。従って、第３の貨幣管理装置２００Ｃは、自己の貨幣在高を更新した（Ｓ４９１）後に、貨幣在高を第１の貨幣管理装置２００Ａへ送信する（Ｓ５０１）。そして、第３の貨幣管理装置２００Ｃは、収納／取出処理を終了する。
【０１０８】
第１の貨幣管理装置２００Ａは、第２および第３の貨幣管理装置２００Ｂ、２００Ｃからの更新済みの貨幣在高を受信して、それらの貨幣在高に基づいて第２およい第３の貨幣管理装置２００Ｂ、２００Ｃの在高を更新する。また、第１の貨幣管理装置２００Ａは、自己の在高および総在高も更新する（Ｓ５４０）。そして、第１の貨幣管理装置２００Ａは、第１から第３の貨幣管理装置２００Ａ〜２００Ｃの各貨幣在高および総在高を出納機１００へ送信する（Ｓ３９１）。これにより、第１の貨幣管理装置２００Ａは、収納／取出処理を終了する。出納機１００は、第１の貨幣管理装置２００Ａからの更新済みの貨幣在高および総在高を受信して、それらの在高情報に基づいて管理装置在高４Ｘを更新する（Ｓ４００）。これにより、出納機１００も、収納／取出処理を終了する。
【０１０９】
本実施形態による貨幣管理システム３００は、３台以上の貨幣管理装置２００を子機としてさらに増設することができる。子機としての貨幣管理装置２００Ｂ、２００Ｃは、親機としての第１の貨幣管理装置２００Ａに接続され、第１の貨幣管理装置２００Ａは、子機としての貨幣管理装置２００Ｂ、２００Ｃの各貨幣在高を一括管理する。従って、複数の貨幣管理装置２００は、出納機１００にとって、容量の大きな１台の貨幣管理装置２００として見なすことができる。
【０１１０】
本実施形態による貨幣管理システム３００内の複数の貨幣管理装置２００は、全て同じ構成を有する。従って、貨幣管理システム３００において貨幣を収納する容量が足りない場合に、出納機１００または既存の貨幣管理装置２００の設定を変更することなく、貨幣管理装置２００を容易に増設することができる。尚、上述の通り、増設された貨幣管理装置２００は、出納機１００ではなく、親機としての第１の貨幣管理装置２００Ａに接続されることによって、自身が子機であることを認識することができる。
【０１１１】
このように、本実施形態による、貨幣管理システム３００は、大量の貨幣を取り扱うことができ、かつ、複数の貨幣管理装置２００内の貨幣在高を含めた金融機関内の在高管理を安全且つ総合的に行うことができる。
【０１１２】
（第２の実施形態）
図１４は、第２の実施形態を示すシステム概略図である。第２の実施形態による貨幣管理システム３０１は、複数の貨幣管理装置２００Ａおよび２００Ｂによって構成されており、出納機１００を有さない。この場合、親機としての第１の貨幣管理装置２００Ａが他の貨幣管理装置２００Ｂの貨幣在高を管理する。従って、第１の貨幣管理装置２００Ａの記憶部２２５ｅ、２２５ｇが、第１および第２の貨幣管理装置２００Ａ、２００Ｂの各貨幣在高、および、第１および第２の貨幣管理装置２００Ａ、２００Ｂの総在高を記憶し、これらを管理する。
【０１１３】
第２の実施形態による貨幣管理システム３０１の他の構成は、第１の実施形態による貨幣管理システム３００の対応する構成と同様でよい。図１１の出納機１００内に管理されている各種の在高１、２、３および６は、親機としての第２の貨幣管理装置２００Ａにおいて管理される。
【０１１４】
収納／取出処理においては、出納機１００と貨幣管理装置２００Ａとの間の連携処理は行われない。即ち、貨幣管理システム３０１は、図１０のステップＳ２５〜Ｓ２８、Ｓ３１を実行せず、図１０に示すその他の動作ステップＳ２１〜Ｓ３０を実行する。また、処理対象貨幣の金種および数量または金額は、第１の貨幣管理装置２００Ａの入力部１６において入力される（Ｓ１２６）。
【０１１５】
また、図１２および図１３において、出納機１００で実行されるステップＳ４００は、第１の貨幣管理装置２００Ａにおいて、例えば、ステップＳ３９０またはＳ３９１において実行される。貨幣管理システム３０１のその他の動作は、第１の実施形態における貨幣管理システム３００の動作と同様でよい。
【０１１６】
尚、第１の貨幣管理装置２００Ａおよび第２の貨幣管理装置２００Ｂの親子関係は、例えば、貨幣管理システム３０１の設置時に設置者が手作業にて決定すればよい。あるいは、最初に設定された貨幣管理装置２００Ａを親機とし、その後、その親機に接続された貨幣処理装置２００Ｂを子機とすればよい。一旦、親子関係が成立した後には、貨幣管理装置２００の増設は第１の実施形態と同様であり、容易である。
【０１１７】
第３の実施形態による貨幣管理システム３０１は、２台以上の貨幣管理装置２００を子機としてさらに増設することができる。子機としての貨幣管理装置２００は、親機としての第１の貨幣管理装置２００Ａに接続され、第１の貨幣管理装置２００Ａは、子機としての貨幣管理装置２００の各貨幣在高を一括管理する。従って、複数の貨幣管理装置２００は、容量の大きな１台の貨幣管理装置２００として見なすことができる。
【０１１８】
第２の実施形態による貨幣管理システム３０１は、第１の実施形態による貨幣管理システム３００と同様の効果を得ることができる。
【０１１９】
（第１および第２の実施形態の変形例１）
子機が第２の貨幣管理装置２００Ｂのみであり、かつ、第１および第２の貨幣管理装置２００Ａ、２００Ｂのいずれか一方の在高が、処理対象貨幣の金額または数量未満である場合、他方の貨幣管理装置２００から所定金額または所定数量以上の貨幣を収納または取出す必要がある。例えば、１万円札を１０００枚（１０束）取出す必要がある場合に、第２の貨幣管理装置２００Ｂの１万円札の在高が５００枚（５束）であったと仮定する。この場合、操作者は、第１の貨幣管理装置２００Ａから１万円札を５００枚（５束）以上取出す必要がある。もし、操作者が第１の貨幣管理装置２００Ａから１万円札を４００枚（４束）以下しか取出さなかった場合、第２の貨幣管理装置２００Ｂにおいて残貨幣（１万円札を６００枚（６束））を取り出すことができないからである。
【０１２０】
そこで、第１の貨幣管理装置２００Ａの演算部２２５ｃは、処理対象貨幣の金額または数量から第２の貨幣管理装置２００Ｂの在高を減算して得られる不足貨幣の金額または数量を算出する。そして、第１の貨幣管理装置２００Ａの表示部２２７は、第１の貨幣管理装置２００Ａにおいて、不足貨幣の金額または数量以上の貨幣を取出すよう表示する。
【０１２１】
操作者が第１の貨幣管理装置２００Ａから不足貨幣の金額または数量以上の貨幣を取出すことによって、第２の貨幣管理装置２００Ｂにおいて操作者は残貨幣を確実に取り出すことができる。つまり、操作者が第２の貨幣管理装置２００Ｂのドロア内を見てはじめて貨幣が足りないことに気づく、という事態を防止できる。
【０１２２】
貨幣を収納する場合には、第１の貨幣管理装置２００Ａの演算部２２５ｃは、貨幣管理装置２００Ａ、２００Ｂのドロア内において貨幣が未だ収納されていない領域の容量（空き容量）について、演算すればよい。例えば、１万円札を１０００枚（１０束）収納する場合に、第２の貨幣管理装置２００Ｂの１万円札のドロアにおける“空き容量”が５００枚（５束）分であったと仮定する。この場合、操作者は、第１の貨幣管理装置２００Ａに１万円札を５００枚（５束）以上収納する必要がある。もし、操作者が第１の貨幣管理装置２００Ａに１万円札を４００枚（４束）以下しか収納しなかった場合、第２の貨幣管理装置２００Ｂにおいて残貨幣（１万円札を６００枚（６束））を収納できないからである。
【０１２３】
これにより、第２の貨幣管理装置２００Ｂにおいて操作者は残貨幣を確実に収納することができる。つまり、操作者が第２の貨幣管理装置２００Ｂのドロア内を見てはじめて空き容量が足りないことに気づく、という事態を防止できる。
【０１２４】
尚、出納機１００が設けられている場合、第１の貨幣管理装置２００Ａの表示部２２７に表示されるエラー、残貨幣の金種および数量または金額、貨幣管理装置２００Ａ、２００Ｂの各在高、貨幣管理装置２００Ａおよび２００Ｂの総在高は、出納機１００の表示部１５ａに表示させてもよい。これにより、操作者または出納責任者は、出納機１００において各貨幣管理装置２００Ａ、２００Ｂの状態を容易に把握することができる。
【０１２５】
（第１または第２の実施形態の変形例２）
図１５および図１６は、第１または第２の実施形態の変形例２による出納機１００の表示部１５ａまたは第１の貨幣管理装置２００Ａの表示部２２７に表示される処理対象貨幣の入力表である。図１５は、取出処理における処理対象貨幣の入力表である。図１６は、収納処理における処理対象貨幣の入力表である。
【０１２６】
例えば、図９のステップＳ１６において出納機１００は、図１５または図１６に示す処理対象貨幣の入力表を表示部１５ａに表示する。あるいは、図１０のステップＳ１２６において第１の貨幣管理装置２００Ａは、図１５または図１６に示す処理対象貨幣の入力表を表示部２２７に表示する。
【０１２７】
処理対象貨幣の入力表には、各貨幣管理装置２００に収納されている貨幣の在高が官封券と流通券とに分けて予め表示されている。官封券は、印刷されてから未だ市場に流通していない紙幣である。流通券は、既に市場に流通した紙幣である。また、処理対象貨幣の入力表には、複数の貨幣管理装置２００Ａ〜２００Ｃに収納されている貨幣の総在高が官封券と流通券とに分けて表示されている。
【０１２８】
通常、貨幣管理装置２００には図５に示すように束紙幣または大束紙幣が収納される。処理対象貨幣の入力表の在高または取引の数値は、束紙幣数または大束紙幣数のいずれでもよい。
【０１２９】
[取出処理]
操作者は、まず、処理対象貨幣の入力表に貨幣の取引量を入力する。このとき取出処理では、操作者は、各貨幣管理装置２００における金種ごとまたは券種（官封券または流通券）ごとの在高の範囲内の数量を取引量として入力しなければならない。貨幣管理装置２００の在高以上の貨幣を取出すことはできないからである。もし、操作者が、在高以上の数量を入力した場合には、出納機１００の表示部１５ａまたは第１の貨幣管理装置２００Ａの表示部２２７は、エラーを表示する。この場合、操作者は、在高の範囲内の数量を入力し直す。
【０１３０】
例えば、操作者は、各貨幣管理装置２００Ａ〜２００Ｃから一万円札の官封券の大束を１０束取出すものとする。この場合、操作者は、入力部１６または２２６を用いて、処理対象貨幣の入力表の「取引」の欄に束数を入力する。図１５では、操作者は、第１の貨幣管理装置２００Ａから５束、第２の貨幣管理装置２００Ｂから５束を取出すように入力している。処理対象貨幣の入力表には、操作者によって入力された取引量の合計（例えば、官封券１０束）が表示される。
【０１３１】
第１の貨幣管理装置２００Ａは、この処理対象貨幣の入力表に基づいて、図１２または図１３に示す処理を実行する。このとき、例えば、ステップＳ３６０における精査では、第１の貨幣管理装置２００Ａは、操作者によって実際に取出された貨幣の数量が処理対象貨幣の入力表における取引量（例えば、５束）と異なる場合には、エラーを表示部２２７に表示する。
【０１３２】
また、第２の貨幣管理装置２００Ｂも、この処理対象貨幣の入力表に基づいて、図１２または図１３に示す処理を実行する。このとき、例えば、ステップＳ４７０における精査では、第２の貨幣管理装置２００Ｂは、操作者によって実際に取出された貨幣の数量が処理対象貨幣の入力表における取引量（例えば、５束）と異なる場合には、エラーを表示部２２７に表示する。
【０１３３】
エラーが発生した場合、操作者または管理者は、貨幣を第１の貨幣管理装置２００Ａまたは第２の貨幣管理装置２００Ｂから取出し直す。
【０１３４】
本変形例２による貨幣管理システムの他の動作は、図１２または図１３に示す動作と同様でよい。
【０１３５】
本変形例２によれば、操作者は、各貨幣管理装置２００Ａ〜２００Ｃの在高を確認しながら、どの貨幣管理装置からどれくらの数量だけ取出すかを予め決定することができる。
【０１３６】
[収納処理]
収納処理では、操作者は、各貨幣管理装置２００における金種ごとまたは券種（官封券または流通券）ごとの空き容量の範囲内の数量を取引量として入力しなければならない。貨幣管理装置２００の空き容量以上の貨幣を収納することはできないからである。もし、操作者が、空き容量以上の数量を入力した場合には、出納機１００の表示部１５ａまたは第１の貨幣管理装置２００Ａの表示部２２７は、エラーを表示する。この場合、操作者は、空き容量の範囲内の数量を入力し直す。
【０１３７】
例えば、操作者は、各貨幣管理装置２００Ａ〜２００Ｃから一万円札の官封券の大束を１０束収納するものとする。この場合、操作者は、入力部１６または２２６を用いて、処理対象貨幣の入力表の「取引」の欄に束数を入力する。図１６では、操作者は、第１の貨幣管理装置２００Ａに５束、第２の貨幣管理装置２００Ｂに５束を収納するように入力している。処理対象貨幣の入力表には、操作者によって入力された取引量の合計（例えば、官封券１０束）が表示される。
【０１３８】
第１の貨幣管理装置２００Ａは、この処理対象貨幣の入力表に基づいて、図１２または図１３に示す処理を実行する。このとき、例えば、ステップＳ３６０における精査では、第１の貨幣管理装置２００Ａは、操作者によって実際に収納された貨幣の数量が処理対象貨幣の入力表における取引量（例えば、５束）と異なる場合には、エラーを表示部２２７に表示する。
【０１３９】
また、第２の貨幣管理装置２００Ｂも、この処理対象貨幣の入力表に基づいて、図１２または図１３に示す処理を実行する。このとき、例えば、ステップＳ４７０における精査では、第２の貨幣管理装置２００Ｂは、操作者によって実際に収納された貨幣の数量が処理対象貨幣の入力表における取引量（例えば、５束）と異なる場合には、エラーを表示部２２７に表示する。
【０１４０】
エラーが発生した場合、操作者または管理者は、貨幣を第１の貨幣管理装置２００Ａまたは第２の貨幣管理装置２００Ｂに収納し直す。
【０１４１】
本変形例２による貨幣管理システムの他の動作は、図１２または図１３に示す動作と同様でよい。
【０１４２】
本変形例２によれば、操作者は、各貨幣管理装置２００Ａ〜２００Ｃの空き容量を確認しながら、どの貨幣管理装置にどれくらの数量だけ収納するかを予め決定することができる。
【０１４３】
本変形例２によれば、操作者の意図に従って貨幣の収納または取出しを行うことができる。例えば、官封券を取出す場合に、第１の貨幣管理装置２００Ａに官封券が収納されていなくても、第２の貨幣管理装置２００Ｂに官封券が充分に収納されていれば、操作者は、第２の貨幣管理装置２００Ｂに官封券が収納されていることを図１５の入力表から知ることができる。操作者は、第１の貨幣管理装置２００Ａに官封券が収納されていないために、仕方なく第１の貨幣管理装置２００Ａに収納されている流通券で代用する、という事態を防止できる。
【０１４４】
さらに、本変形例２は、第１または第２の実施形態と同様の効果をも得ることができる。
【０１４５】
また、通常、貨幣管理装置２００Ａ〜２００Ｃは、官封券と流通券とを自動で判別することはできない。本変形例２では、操作者が処理対象貨幣の数量を官封券と流通券とを区別して入力するので、親機としての第１の貨幣管理装置２００Ａは、貨幣管理装置２００Ａ〜２００Ｃのそれぞれの貨幣在高および貨幣管理装置２００Ａ〜２００Ｃの総在高を、官封券と流通券とに区別して管理することができる。
【０１４６】
（第１または第２の実施形態の変形例３）
図１７（Ａ）から図１８（Ｃ）は、第１または第２の実施形態の変形例３による出納機１００の表示部１５ａまたは第１の貨幣管理装置２００Ａの表示部２２７に表示される画面である。図１７（Ａ）から図１７（Ｃ）は、取出処理における画面を示す。図１８（Ａ）から図１８（Ｃ）は、収納処理における画面を示す。
【０１４７】
複数の貨幣管理装置２００Ａ、２００Ｂのいずれかの貨幣在高が無い場合（エンプティの場合）や複数の貨幣管理装置２００Ａ、２００Ｂのいずれかの空き容量が無い場合（フルの場合）、出納機１００または親機である第１の貨幣管理装置２００Ａが表示部１５ａまたは２２７にその旨を表示する。複数の貨幣管理装置２００Ａ、２００Ｂのいずれかの貨幣在高が少ない場合（エンプティに近い場合）や複数の貨幣管理装置２００Ａ、２００Ｂのいずれかの空き容量が少ない場合（フルに近い場合）にも、出納機１００または親機である第１の貨幣管理装置２００Ａが表示部１５ａまたは２２７にその旨を表示してよい。尚、各貨幣管理装置２００Ａ、２００Ｂは、ドロア２１１〜２１４の各容量および在高に基づいて空き容量を検知することができるように構成されている。これにより、各貨幣管理装置２００Ａ、２００Ｂは、ドロア２１１〜２１４のフルまたはエンプティも検知できる。
【０１４８】
変形例３では、出納機１００または貨幣管理装置２００Ａ、２００Ｂは、貨幣管理装置２００Ａ、２００Ｂのフルまたはエンプティの情報だけでなく、図１７（Ａ）〜図１８（Ｃ）に示すように他の貨幣管理装置２００Ａまたは２００Ｂにおいて取出／収納すべき貨幣の数量または金額をも表示する。
【０１４９】
図１７（Ａ）〜図１８（Ｃ）の表示は、図９のステップＳ１６または図１０のステップＳ１２６において、処理対象貨幣の金種および数量または金額を入力したときに出納機１００の表示部１５ａまたは第１の貨幣管理装置２００Ａの表示部２２７に表示される。
【０１５０】
例えば、一万円札の束紙幣を１０束取出す場合において、子機である第２の貨幣管理装置２００Ｂの貨幣在高がエンプティであったとする。この場合、出納機１００または第１の貨幣管理装置２００Ａは、図１７（Ａ）に示すように処理対象貨幣の全て（例えば、１０束）を第１の貨幣管理装置２００Ａから取出すべきことを表示部１５ａまたは２２７に表示する。
【０１５１】
また、例えば、一万円札の束紙幣を１０束取出す場合において、出納機１００または第１の貨幣管理装置２００Ａは、処理対象貨幣の数量（例えば、１０束）から第２の貨幣管理装置２００Ｂの貨幣在高（例えば、７束）を引き算した不足貨幣の数量または金額（例えば、３束）を算出する。そして、出納機１００または第１の貨幣管理装置２００Ａは、図１７（Ｂ）に示すように不足貨幣の数量または金額（例えば、３束）以上の貨幣を第１の貨幣管理装置２００Ａから取出すべきことを表示部１５ａまたは２２７に表示する。
【０１５２】
さらに、例えば、第１の貨幣管理装置２００Ａの一万円札の在高が７束であり、第２の貨幣管理装置２００Ｂの一万円札の在高が３束であるとする。一万円札の束紙幣を１０束取出す場合には、処理対象貨幣の数量（１０束）は、第１および第２の貨幣管理装置２００Ａ、２００Ｂの一万円の総在高（１０束）と同じである。この場合、親機である第１の貨幣管理装置２００Ａから一万円の束紙幣を７束取出し、第２の貨幣管理装置２００Ｂから一万円の束紙幣を３束取出す。従って、出納機１００または第１の貨幣管理装置２００Ａは、図１７（Ｃ）に示すように第１の貨幣管理装置２００Ａの全在高の数量または金額（例えば、７束）の貨幣を第１の貨幣管理装置２００Ａから取出すべきことを表示部１５ａまたは２２７に表示する。
【０１５３】
このように、出納機１００または貨幣管理装置２００Ａ、２００Ｂは、貨幣管理装置２００Ａ、２００Ｂの在高に応じて、少なくとも一方の貨幣管理装置２００Ａにおいて取出すべき貨幣の数量または金額を表示することができる。
【０１５４】
例えば、一万円札の束紙幣を１０束収納する場合においては、子機である第２の貨幣管理装置２００Ｂがフルであったとする。この場合、出納機１００または第１の貨幣管理装置２００Ａは、図１８（Ａ）に示すように処理対象貨幣の全て（例えば、１０束）を第１の貨幣管理装置２００Ａに収納すべきことを表示部１５ａまたは２２７に表示する。
【０１５５】
例えば、一万円札の束紙幣を１０束収納する場合において、出納機１００または第１の貨幣管理装置２００Ａは、処理対象貨幣の数量（例えば、１０束）から第２の貨幣管理装置２００Ｂの空き容量（例えば、７束）を引き算した不足容量の数量または金額（例えば、３束）を算出する。そして、出納機１００または第１の貨幣管理装置２００Ａは、図１８（Ｂ）に示すように不足容量の数量または金額（例えば、３束）以上の貨幣を第１の貨幣管理装置２００Ａから取出すべきことを表示部１５ａまたは２２７に表示する。
【０１５６】
例えば、第１の貨幣管理装置２００Ａの一万円札の空き容量が７束であり、第２の貨幣管理装置２００Ｂの一万円札の空き容量が３束であるとする。一万円札の束紙幣を１０束収納する場合には、処理対象貨幣の数量（１０束）は、第１および第２の貨幣管理装置２００Ａ、２００Ｂの一万円の全空き容量（１０束）と同じである。この場合、親機である第１の貨幣管理装置２００Ａに一万円の束紙幣を７束収納し、第２の貨幣管理装置２００Ｂに一万円の束紙幣を３束収納する。従って、出納機１００または第１の貨幣管理装置２００Ａは、図１８（Ｃ）に示すように第１の貨幣管理装置２００Ａの全空き容量の数量または金額（例えば、７束）の貨幣を第１の貨幣管理装置２００Ａに収納すべきことを表示部１５ａまたは２２７に表示する。
【０１５７】
このように、出納機１００または貨幣管理装置２００Ａ、２００Ｂは、貨幣管理装置２００Ａ、２００Ｂの空き容量に応じて、少なくとも一方の貨幣管理装置２００Ａに収納すべき貨幣の数量または金額を表示することができる。
【０１５８】
これにより、操作者は、収納処理または取出処理において、貨幣管理装置２００Ａ、２００Ｂがエンプティ（フル）またはエンプティ（フル）に近いことを予め知ることができる。さらに、操作者は、エンプティ（フル）またはエンプティ（フル）に近い第２の貨幣管理装置２００Ｂ以外の貨幣管理装置２００Ａ、２００Ｃから取出すべきまたは収納すべき貨幣の数量または金額を予め知ることができるので、操作者は、正確な収納／取出し処理を行うことができる。
【０１５９】
（第３の実施形態）
第１および第２の実施形態では、操作者は、処理対象貨幣の一部を第１の貨幣管理装置２００Ａにおいて収納または取出し、残貨幣を他の貨幣管理装置２００Ｂ、２００Ｃにおいて収納または取出している。
【０１６０】
第３の実施形態では、操作者は、処理対象貨幣の一部を第１の貨幣管理装置２００Ａのドロア２１１〜２１４のいずれかにおいて収納または取出し、残貨幣を第１の貨幣管理装置２００Ａの他のドロアにおいて収納しまたは取出す。この場合、第１の貨幣管理装置２００Ａは、ドロア２１１〜２１４のそれぞれの貨幣在高を管理する。
【０１６１】
以下の具体例は、出納機１００と出納機１００に接続された第１の貨幣管理装置２００Ａとを備えた貨幣処理システムにおける収納／取出し処理を示す。
【０１６２】
図１９は、第３の実施形態に従った貨幣管理システムの動作を示すフロー図である。第３の実施形態では、第１の貨幣管理装置２００Ａのドロア２１１および２１２が一万円札（束紙幣または大束紙幣）を収納しているものとする。図１３のステップＳ３１０、Ｓ３２０の実行後、処理対象貨幣が一万円札である場合、第１の貨幣管理装置２００Ａは、ドロア２１１を開状態にする（Ｓ３３２）。
【０１６３】
操作者がドロア２１１から貨幣を収納または取出した後（Ｓ３４２）、ドロア２１１を閉じる（Ｓ３５２）。第１の貨幣管理装置２００Ａの演算部２２５ｃは、ロードセル２６１を介して第１の貨幣管理装置２００Ａのドロア２１１内の貨幣在高を精査する（Ｓ３６２）。このとき、操作者によって収納または取出された貨幣の数量または金額Ｇと処理対象貨幣の数量または金額Ｈとを比較する。その結果、操作者によって収納または取出された貨幣の数量または金額Ｇが処理対象貨幣の数量または金額Ｈよりも多い場合（Ｓ３６２のＧ＞Ｈ）、エラーが表示部２２７に表示される（Ｓ３７２）。この場合、第１の貨幣管理装置２００Ａは、再度、ドロア２１１を開状態にするか、あるいは、警告音にて注意を喚起する。操作者または管理者は、貨幣を第１の貨幣管理装置２００Ａのドロア２１１に収納し直し、または、貨幣を第１の貨幣管理装置２００Ａのドロア２１１から取出し直す（Ｓ３４２）。そして、ステップＳ３５２およびＳ３６２を再度実行する。
【０１６４】
操作者によって収納または取出された貨幣の数量Ｇまたは金額が処理対象貨幣の数量または金額Ｈと等しい場合（Ｓ３６２のＧ＝Ｈ）、収納処理または取出処理は、第１の貨幣管理装置２００Ａのドロア２１１において終了する。即ち、操作者は、第１の貨幣管理装置２００Ａの他のドロア２１２において貨幣を出し入れする必要がない。従って、第１の貨幣管理装置２００Ａは、ドロア２１１の在高および第１の貨幣管理装置２００Ａ内のドロア２１１〜２１４の総在高を更新した（Ｓ３８２）後に、貨幣管理装置２００Ａのドロア２１１の貨幣在高および第１の貨幣管理装置２００Ａ内のドロア２１１〜２１４の総在高を出納機１００へ送信する（Ｓ３９２）。出納機１００は、第１の貨幣管理装置２００Ａからの更新済みの貨幣在高および総在高を受信して、それらの在高情報に基づいて管理装置在高４Ｘを更新する（Ｓ４０２）。これにより、収納／取出処理は終了する。
【０１６５】
操作者によって収納または取出された貨幣の数量または金額Ｇが処理対象貨幣の数量または金額Ｈよりも少ない場合（Ｓ３６２のＧ＜Ｈ）、即ち、処理対象貨幣のうち一部の貨幣が第１の貨幣管理装置２００Ａのドロア２１１において出し入れされた場合には、第１の貨幣管理装置２００Ａの演算部２２５ｃは、収納または取出された一部の貨幣の金額または数量を処理対象貨幣の金額または数量から減算して得られる残りの貨幣（残貨幣）の金額または数量を算出する（Ｓ４１２）。第１の貨幣管理装置２００Ａの表示部２２７は、上記残貨幣の金種および数量または金額を表示して、操作者に第１の貨幣管理装置２００Ａの他のドロア２１２において残貨幣の収納または取出を促すとともに、ドロア２１２を開状態にする（Ｓ４２２）。
【０１６６】
操作者が第１の貨幣管理装置２００Ａのドロア２１２から残貨幣を収納または取出した後（Ｓ４５２）、ドロア２１２を閉じる（Ｓ４６２）。第１の貨幣管理装置２００Ａの演算部２２５ｃは、ロードセル２６１を介してドロア２１２内の貨幣在高を精査する（Ｓ４７２）。このとき、操作者によって収納または取出された貨幣の数量または金額Ｉと残貨幣の数量または金額Ｊとを比較する。その結果、操作者によって収納または取出された貨幣の数量または金額Ｉが残貨幣の数量または金額Ｊよりも多い場合（Ｓ４７２のＩ＞Ｊ）、エラーが表示部２２７に表示される（Ｓ４８２）。この場合、第１の貨幣管理装置２００Ａは、再度、ドロア２１２を開状態にするか、あるいは、警告音にて注意を喚起する。操作者または管理者は、貨幣をドロア２１２に収納し直し、または、貨幣をドロア２１２から取出し直す。そして、ステップＳ４６２およびＳ４７２を再度実行する。
【０１６７】
操作者によって収納または取出された貨幣の数量Ｉまたは金額が残貨幣の数量または金額Ｊと等しい場合（４７２のＩ＝Ｊ）、収納処理または取出処理は、第１の貨幣管理装置２００Ａのドロア２１２における貨幣の出し入れによって終了する。この場合、もし、第２の貨幣管理装置２００Ｂが子機として第１の貨幣管理装置２００Ａに接続されていたとしても、操作者は、第２の貨幣管理装置２００Ｂにおいて貨幣を出し入れする必要がない。第１の貨幣管理装置２００Ａは、ドロア２１１および２１２の各貨幣在高およびドロア２１１〜２１４の総在高を更新する（Ｓ５１２）。そして、第１の貨幣管理装置２００Ａはドロア２１１、２１２の各貨幣在高および第１の貨幣管理装置２００Ａ内の総在高を出納機１００へ送信する（Ｓ３９２）。そして、第１の貨幣管理装置２００Ａは、収納／取出処理を終了する。出納機１００は、第１の貨幣管理装置２００Ａからの更新済みの貨幣在高および総在高を受信して、それらの在高情報に基づいて管理装置在高４Ｘを更新する（Ｓ４０２）。これにより、収納／取出処理は終了する。
【０１６８】
操作者によって収納または取出された貨幣の数量または金額Ｉが残貨幣の数量または金額Ｊよりも少ない場合（Ｓ４７２のＩ＜Ｊ）、第１の貨幣管理装置２００Ａの他のドロア２１３、２１４に一万円札が収納されておらず、かつ、第２の貨幣管理装置が子機として第１の貨幣管理装置２００Ａに接続されていなければ、エラーが表示部２２７に表示される（Ｓ４８２）。ただし、取出処理において、操作者は、意図的に残貨幣の数量または金額よりも少ない貨幣しか取出さない場合がある。従って、取出処理においては、取出された貨幣の数量または金額Ｉが残貨幣の数量または金額Ｊよりも少なくても、エラーを表示部２２７に表示しないように設定してもよい。
【０１６９】
このように第３の実施形態では、第１の貨幣管理装置２００Ａは、ドロア２１１〜２１４ごとに貨幣在高を管理し、ドロア２１１〜２１４ごとに貨幣の収納または取出しを可能にしている。操作者は、処理対象貨幣の一部を第１の貨幣管理装置２００Ａのドロア２１１〜２１４のいずれかにおいて収納または取出した後、残貨幣を他のドロアにおいて収納しまたは取出す。このとき、第１の貨幣管理装置２００Ａは、残貨幣の金種および数量または金額を自動的に算出し表示し、次のドロア２１２を開状態にする。操作者は、第１の貨幣管理装置２００Ａの表示に従ってドロア２１２から残貨幣を収納または取出せばよい。従って、操作者の作業負担が軽減される。
【０１７０】
第１の貨幣管理装置２００Ａの他のドロア２１３、２１４に一万円札が収納されている場合、あるいは、子機として第２の貨幣管理装置２００Ｂが設けられている場合、第１の貨幣管理装置２００Ａは、図１３に示すフローにならって第２の残貨幣を算出し、第１の貨幣管理装置２００Ａの他のドロア２１３または２１４、あるいは、第２の貨幣管理装置２００Ｂにおいて第２の残貨幣を収納または取出せばよい。従って、第３の実施形態は、第１または第２の実施形態と組み合わせることができる。これにより、第３の実施形態は、第１または第２の実施形態の効果も得ることができる。勿論、第３の実施形態に上記変形例１〜変形例３を適用することも可能である。これにより、第３の実施形態は、上記変形例１〜３のいずれかの効果も得ることができる。
【０１７１】
尚、上記第１から第３の実施形態において、収納／取出処理は、親機である第１の貨幣管理装置２００Ａから優先的に実行され、その後、子機である第２の貨幣管理装置２００Ｂにおいて実行されている。しかし、収納／取出処理の優先順位は、逆であってもよい。即ち、収納／取出処理は、子機である第２の貨幣管理装置２００Ｂにおいて優先的に実行され、その後、親機である第１の貨幣管理装置２００Ａにおいて実行されてもよい。
【符号の説明】
【０１７２】
１００  出納機
２００Ａ〜２００Ｃ  貨幣管理装置
３００、３０１  貨幣管理システム
１１  紙幣処理装置
Ｐ１  束紙幣処理部
Ｐ２  バラ紙幣処理部
１２  バラ硬貨処理装置
１３  包装硬貨処理装置
１４  現金外ボックス
１５  制御部
１５ａ  表示部
１５ｂ  ＩＤカードリーダ
１５ｃ  演算部
１５ｄ  ＲＯＭ
１５ｅ  ＲＡＭ
１５ｆ  フレキシブルディスクドライブ
１５ｇ  ハードディスクドライブ
１６  キーボード式入力部
１８  外部プリンタ
１９  通信インタフェース（通信ＩＦ）
２１１〜２１４  収納ドロア
２１５  予備収納庫
２１１ｍ〜２１５ｍ  開閉電磁ロック
２２１〜２２４  紙幣保管容器
２４１〜２４３  硬貨保管容器
２６１  ロードセル
２２５  制御部
２２５ｄ  ＲＯＭ
２２５ｅ  ＲＡＭ
２２５ｇ  ハードディスクドライブ
２２５ｃ  演算部
２２６  キーボード式入力部
２２７  表示部
２２８  ＩＤカードリーダ
２２９  通信インタフェース（通信ＩＦ）
【図１】
0005717542.tif 000002
【図２】
0005717542.tif 000003
【図３】
0005717542.tif 000004
【図４】
0005717542.tif 000005
【図５】
0005717542.tif 000006
【図６】
0005717542.tif 000007
【図７】
0005717542.tif 000008
【図８】
0005717542.tif 000009
【図９】
0005717542.tif 000010
【図１０】
0005717542.tif 000011
【図１１】
0005717542.tif 000012
【図１２】
0005717542.tif 000013
【図１３】
0005717542.tif 000014
【図１４】
0005717542.tif 000015
【図１５】
0005717542.tif 000016
【図１６】
0005717542.tif 000017
【図１７】
0005717542.tif 000018
【図１８】
0005717542.tif 000019
【図１９】
0005717542.tif 000020